(57)【要約】      （修正有）【課題】湾曲部位の外面部の凹部縁部が凸状の小刃に設定されている縫合針を提供する。【解決手段】針本体１の先端部に湾曲部位が設けられた縫合針であって、前記湾曲部位の外面部には凹部３が設けられ、この凹部３の縁部が凸状の小刃２に設定されたものである。前記凹部３は前記針本体１の長さ方向に複数並設されていることも可能である。体組織に刺入した際、湾曲部位の外面部の凹部３の存在により、体組織との接触面積が少なくなるため該体組織に対する刺入抵抗が可及的に低減される。【選択図】図１
2010154961.tif 000002
【特許請求の範囲】
【請求項１】
針本体の先端部に湾曲部位が設けられた縫合針であって、前記湾曲部位の外面部には凹部が設けられ、この凹部の縁部が凸状の小刃に設定されていることを特徴とする縫合針。
【請求項２】
請求項１記載の縫合針において、前記凹部は複数設けられていることを特徴とする縫合針。
【請求項３】
請求項１，２いずれか１項に記載の縫合針において、前記凹部は前記針本体の長さ方向に複数並設されていることを特徴とする縫合針。
【請求項４】
請求項１〜３いずれか１項に記載の縫合針において、前記湾曲部位の外面部には、前記針本体の長さ方向に長さを有する直線状の峰部が設けられ、この峰部には該峰部を分断する前記凹部が設けられ、この凹部の縁部にして前記峰部が前記凸状の小刃に設定されていることを特徴とする縫合針。
【請求項５】
請求項１〜４いずれか１項に記載の縫合針において、前記湾曲部位の外面部，内面部の一方若しくは双方に凹溝部が前記針本体の長さ方向に設けられていることを特徴とする縫合針。
【請求項６】
請求項５記載の縫合針において、前記凹溝部は複数本設けられていることを特徴とする縫合針。
【請求項７】
請求項１〜６いずれか１項に記載の縫合針において、前記湾曲部位は断面多角形状部であり、この断面多角形状部における角縁同士間は凹湾曲面に形成されていることを特徴とする縫合針。
【請求項８】
請求項７記載の縫合針において、前記断面多角形状部は形状の異なる断面多角形状部を前記針本体の長さ方向に連設して構成されていることを特徴とする縫合針。
【請求項９】
請求項８記載の縫合針において、前記断面多角形状部は前記針本体の先端側に設けられる断面三角形状部と、この断面三角形状部よりも基端側に設けられる断面四角形状部とが連設された構成であることを特徴とする縫合針。
【請求項１０】
針本体の先端部に湾曲部位が設けられた縫合針であって、前記湾曲部位の外面部には凹凸部が設けられ、この凹凸部の凸部が小刃に設定されていることを特徴とする縫合針。
【請求項１１】
請求項１０記載の縫合針において、前記凹凸部の凹部は複数設けられていることを特徴とする縫合針。
【請求項１２】
請求項１０，１１いずれか１項に記載の縫合針において、前記凹凸部の凹部は前記針本体の長さ方向に複数並設されていることを特徴とする縫合針。
【請求項１３】
請求項１〜１２いずれか１項に記載の縫合針において、前記針本体の先端から基端側所定位置にかけて断面円形状部が設けられていることを特徴とする縫合針。
【発明の詳細な説明】
【技術分野】
【０００１】
本発明は、例えば外科手術で使用される針本体の先端部に湾曲部位が設けられた縫合針に関するものである。
【背景技術】
【０００２】
例えば外科手術で使用される針本体の先端部に湾曲部位が設けられた縫合針として、体組織への刺入性を向上すべく、本出願人は、特開２０００−１３９９３１号に開示されるように針本体の断面形状を多角形にした縫合針や、特開２００７−２６８１３６号に開示されるように針本体の周面対向位置にして長さ方向に凹溝部を形成した縫合針を提案している。
【０００３】
これら縫合針は、体組織へ刺入した際、刺入した部位（体組織）との接触面積が少なくなることで刺入抵抗が低減され、よって、体組織への負荷がかかり難く良好な縫合作業が行えるものである。
【０００４】
【特許文献１】特開２０００−１３９９３１号公報
【特許文献２】特開２００７−２６８１３６号公報
【発明の開示】
【発明が解決しようとする課題】
【０００５】
本発明者は、これら針本体の先端部に湾曲部位が設けられた縫合針について更なる研究・実験を重ね、その結果、従来にない作用効果を発揮する画期的な縫合針を開発した。
【課題を解決するための手段】
【０００６】
添付図面を参照して本発明の要旨を説明する。
【０００７】
針本体１の先端部に湾曲部位が設けられた縫合針であって、前記湾曲部位の外面部には凹部３が設けられ、この凹部３の縁部が凸状の小刃２に設定されていることを特徴とする縫合針に係るものである。
【０００８】
また、請求項１記載の縫合針において、前記凹部３は複数設けられていることを特徴とする縫合針に係るものである。
【０００９】
また、請求項１，２いずれか１項に記載の縫合針において、前記凹部３は前記針本体１の長さ方向に複数並設されていることを特徴とする縫合針に係るものである。
【００１０】
また、請求項１〜３いずれか１項に記載の縫合針において、前記湾曲部位の外面部には、前記針本体１の長さ方向に長さを有する直線状の峰部５ａが設けられ、この峰部５ａには該峰部５ａを分断する前記凹部３が設けられ、この凹部３の縁部にして前記峰部５ａが前記凸状の小刃２に設定されていることを特徴とする縫合針に係るものである。
【００１１】
また、請求項１〜４いずれか１項に記載の縫合針において、前記湾曲部位の外面部，内面部の一方若しくは双方に凹溝部４が前記針本体１の長さ方向に設けられていることを特徴とする縫合針に係るものである。
【００１２】
また、請求項５記載の縫合針において、前記凹溝部４は複数本設けられていることを特徴とする縫合針に係るものである。
【００１３】
また、請求項１〜６いずれか１項に記載の縫合針において、前記湾曲部位は断面多角形状部５であり、この断面多角形状部５における角縁５ａ同士間は凹湾曲面５ｂに形成されていることを特徴とする縫合針に係るものである。
【００１４】
また、請求項７記載の縫合針において、前記断面多角形状部５は形状の異なる断面多角形状部５’，５”を前記針本体１の長さ方向に連設して構成されていることを特徴とする縫合針に係るものである。
【００１５】
また、請求項８記載の縫合針において、前記断面多角形状部５は前記針本体１の先端側に設けられる断面三角形状部５’と、この断面三角形状部５’よりも基端側に設けられる断面四角形状部５”とが連設された構成であることを特徴とする縫合針に係るものである。
【００１６】
また、針本体１の先端部に湾曲部位が設けられた縫合針であって、前記湾曲部位の外面部には凹凸部が設けられ、この凹凸部の凸部が小刃２に設定されていることを特徴とする縫合針に係るものである。
【００１７】
また、請求項１０記載の縫合針において、前記凹凸部の凹部は複数設けられていることを特徴とする縫合針に係るものである。
【００１８】
また、請求項１０，１１いずれか１項に記載の縫合針において、前記凹凸部の凹部は前記針本体１の長さ方向に複数並設されていることを特徴とする縫合針に係るものである。
【００１９】
また、請求項１〜１２いずれか１項に記載の縫合針において、前記針本体１の先端から基端側所定位置にかけて断面円形状部６が設けられていることを特徴とする縫合針に係るものである。
【発明の効果】
【００２０】
本発明は上述のように構成したから、例えば体組織へ刺入した際の刺入抵抗が可及的に低減され、体組織への負荷がかかり難く良好な縫合が行なえることになるなど従来にない作用効果を発揮する画期的な縫合針となる。
【発明を実施するための最良の形態】
【００２１】
好適と考える本発明の実施形態を、図面に基づいて簡単に説明する。
【００２２】
体組織に刺入した際、湾曲部位の外面部に設けられた凹部３の存在により、体組織との接触面積が少なくなるため該体組織に対する刺入抵抗が可及的に低減される。
【００２３】
また、この凹部３の縁部が凸状の小刃２に設定されており、体組織へ刺入した際、この小刃２によって体組織を鋭利に切り込むことになり、体組織に刺入した際の刺入抵抗が可及的に低減されることになる。
【００２４】
従って、特に体組織への刺入開始時に最も抵抗のかかる先端部に設けた湾曲部位の外面部での刺入抵抗が可及的に低減され、これをきっかけとして、その後の基端側部位における刺入が円滑に行なわれることにもなり、よって、体組織への負荷がかかり難く良好な縫合作業が行なわれることになる。
【００２５】
また、請求項５記載の発明のように、湾曲部位の外面部，内面部の一方若しくは双方に凹溝部４が針本体１の長さ方向に設けられている場合には、この凹溝部４の存在によっても体組織との接触面積が少なくなるため該体組織に対する刺入抵抗が可及的に低減される。
【００２６】
また、請求項７記載の発明のように、針本体１の湾曲部位は断面多角形状部５であり、この断面多角形状部５における角縁５ａ同士間は凹湾曲面５ｂに形成されている場合には、例えば断面円形状部の場合に比し、断面多角形状部５の存在及び断面多角形状部５における角縁５ａ同士間の凹湾曲面５ｂの存在によっても体組織との接触面積が少なくなるため該体組織に対する刺入抵抗が可及的に低減され、しかも、断面多角形状部５における角縁５ａによって体組織を鋭利に切り込むことになり、体組織に刺入した際の刺入抵抗が可及的に低減されることになる。
【００２７】
また、請求項８記載の発明のように、断面多角形状部５は形状の異なる断面多角形状部５’，５”を針本体１の長さ方向に連設して構成されている場合には、単なる同一断面形状が続く部位を刺入する場合に比し、刺入途時にてこの形状変化により切り込み作用が生じ、体組織に刺入した際の刺入抵抗が可及的に低減されることになる。
【実施例１】
【００２８】
本発明の具体的な実施例１について図１〜10に基づいて説明する。
【００２９】
本実施例は、外科手術で使用される縫合針である。
【００３０】
具体的には、針本体１は、図１〜３に図示したように適宜な金属製の部材を湾曲棒状に形成したものであり、その先端には先鋭部１ａが設けられ、基端には縫合糸７を嵌挿連結する断面円形状にして直線状の連結部１ｂ（凹部）が設けられている。尚、本実施例では、針本体１に後述する断面多角形状部５を形成した後、針本体１の先端から基端側所定位置Ｐ１にかけての範囲に湾曲部位を形成している。
【００３１】
また、針本体１は、図１〜４に図示したように湾曲部位に断面多角形状部５が形成されている。
【００３２】
本実施例では、この断面多角形状部５は形状の異なる断面多角形状部５’，５”を針本体１の長さ方向に並設して構成されており、具体的には、針本体１の先端から基端側所定位置Ｐ２までの間に設けられる断面三角形状部５’と、この断面三角形状部５’よりも基端側（基端側所定位置Ｐ２から基端側所定位置Ｐ１までの間）に設けられる断面四角形状部５”とで構成されている。
【００３３】
この構成から、針本体１の先端部にして湾曲部位の外面部中央位置には、針本体１の長さ方向に長さを有する先鋭の角縁５ａ（峰部）が設けられる。
【００３４】
また、断面三角形状部５’は、図５，６，７に図示したように先端から基端側にかけて徐々に径が大きくなる三角形状に形成されており、断面四角形状部５”は、図８，９，10に図示したように先端側から基端側にかけて徐々に底辺が広くなる四角形状に形成されている。
【００３５】
また、この断面多角形状部５（断面三角形状部５’及び断面四角形状部５”）における角縁５ａ同士間の面は凹湾曲面５ｂに形成されている。
【００３６】
また、針本体１の先端部にして湾曲部位の外面部には凹部３が設けられ、この凹部３の縁部が凸状の小刃２に設定されている。
【００３７】
具体的には、この小刃２は、図１〜４に図示したように該針本体１の先端部（断面三角形状部５’）にして湾曲部位の外面部に形成された峰部５ａ（角縁）に針本体１の軸心方向へ向けて凹部３を複数設け、この凹部３の縁部にして峰部５ａが凸状の小刃２に設定されており、小刃２は針本体１の長さ方向に複数並設されている。
【００３８】
また、本実施例では、図３に図示したように凹部３を針本体１の先端側に傾斜した状態で設けることで各小刃２を設けている。
【００３９】
尚、本実施例では、図11に図示したように湾曲部位の外面部に形成された峰部５ａに凹部３を設けているが、これに限らず、図12〜15に図示したように峰部５ａを間に介した左右の面に凹部３を設けるようにしたり、凹部３の形状も種々選択し得るものである。
【００４０】
従って、本実施例は、この針本体１の先端部にして湾曲部位の外面部に複数の凹部３を設けて複数の小刃２を設けたことにより、例えば体組織に刺入した際、凹部３により体組織との接触面積が少なくなるため該体組織に対する刺入抵抗が可及的に低減され、しかも、小刃２によって体組織を鋭利に切り込むことになり、体組織に刺入した際の刺入抵抗が可及的に低減されることになる。
【００４１】
尚、小刃２としては、湾曲部位の外面部に凸部を間隔を介して並設される凹凸部を設け、この凹凸部の凸部を小刃２に設定するようにしても良い。
【００４２】
また、本実施例は、針本体１の湾曲部位の外面部及び内面部の双方には、直線状の凹溝部４が該針本体１の長さ方向に設けられており、本実施例では、断面四角形状部５”における外面部，内面部の双方に設けている。尚、凹溝部４は外面部，内面部の一方のみに設けても良く、各面に複数本ずつ設けるようにしても良く、また、この外面部及び内面部のみに限らず、湾曲部位の左右側面部にも一本ずつ若しくは複数本ずつ設けるようにしても良い。
【００４３】
この凹溝部４を設けたことにより、例えば体組織に刺入した針本体１を引き抜く際、針本体１の周面に設けられた凹溝部４により体組織との接触面積が少なくなるため該体組織に対する刺入抵抗は可及的に低減されることになる。
【００４４】
本実施例は上述のように構成したから、体組織に刺入した際、針本体１の先端部にして湾曲部位の外面部に設けられた凹部３の存在により、体組織との接触面積が少なくなるため該体組織に対する刺入抵抗が可及的に低減される。
【００４５】
また、本実施例は、凹部３を設けることで凸状となる小刃２が針本体１の長さ方向に複数並設されており、針本体１を先端から体組織へ刺入した際、これら小刃２によって体組織を鋭利に切り込むことになり、体組織に刺入した際の刺入抵抗が可及的に低減されることになる。
【００４６】
よって、本実施例によれば、特に体組織への刺入開始時に最も抵抗のかかる針本体１の先端部である湾曲部位の外面部での刺入抵抗が可及的に低減され、これをきっかけとして、その後の針本体１の基端側部位における刺入が円滑に行なわれることにもなり、よって、体組織への負荷がかかり難く良好な縫合作業が行なわれることになる。
【００４７】
また、本実施例は、針本体１の湾曲部位の外面部及び内面部の双方に凹溝部４が針本体１の長さ方向に設けられているから、この凹溝部４の存在によっても体組織との接触面積が少なくなるため該体組織に対する刺入抵抗が可及的に低減される。
【００４８】
また、本実施例は、針本体１の湾曲部位に断面多角形状部５が形成されており、この断面多角形状部５における角縁５ａ同士間の面は凹湾曲面５ｂに形成されているから、例えば断面円形状部の場合に比し、断面多角形状部５の存在及び断面多角形状部５における角縁５ａ同士間の凹湾曲面５ｂの存在によっても体組織との接触面積が少なくなるため該体組織に対する刺入抵抗が可及的に低減され、しかも、断面多角形状部５における角縁５ａによって体組織を鋭利に切り込むことになり、体組織に刺入した際の刺入抵抗が可及的に低減されることになる。
【００４９】
また、本実施例は、断面多角形状部５は形状の異なる断面多角形状部５’，５”を針本体１の長さ方向に並設して構成されている場合には、刺入途時にて形状変化させることで切り込み作用を生じさせることになり、体組織に刺入した際の刺入抵抗が可及的に低減されることになる。具体的には、本実施例は、断面多角形状部５は針本体１の先端側に設けられる断面三角形状部５Ａと、この断面三角形状部５Ａよりも基端側に設けられる断面四角形状部５Ｂとで構成されているから、刺入途時にて角の数が増える形状変化させることで切り込み作用を生じさせることになり、体組織に刺入した際の刺入抵抗を可及的に低減できることになる。
【実施例２】
【００５０】
本発明の具体的な実施例２について図16〜18に基づいて説明する。
【００５１】
本実施例は、図16に図示したように凹部３を針本体１の基端側に傾斜した状態で設けることで各小刃２を設け、且つ、図17に図示したように針本体１の先端から基端側所定位置Ｐ３までの間に断面円形状部６を設けた場合である。
【００５２】
その余は実施例１と同様である。
【実施例３】
【００５３】
本発明の具体的な実施例３について図19〜21に基づいて説明する。
【００５４】
本実施例は、図19に図示したように断面円形状である針本体１の先端部にして湾曲部位の外面部の中央位置に、断面Ｖ字状に面取りすることで針本体１の長さ方向に長さを有する先鋭の角縁５ａ（峰部）が設けられ、この峰部５ａに凹部３を設けることで凸状となる小刃２が針本体１の長さ方向に複数並設した場合である。この構成から、小刃２と後述する凹溝部４が設けられる部位以外の針本体１の周面は湾曲円弧面となる。
【００５５】
また、本実施例は、針本体１の湾曲部位の外面部，内面部の双方に凹溝部４が該針本体１の長さ方向に設けられており、この凹溝部４は、円弧の緩やかな浅底の凹溝４ａと、この凹溝４ａの中央位置にして針本体１の長さ方向に設けられる円弧の急な深底の凹溝４ｂとで構成されている。
【００５６】
その余は実施例１と同様である。
【００５７】
尚、本発明は、実施例１〜３に限られるものではなく、各構成要件の具体的構成は適宜設計し得るものである。
【図面の簡単な説明】
【００５８】
【図１】実施例１を示す斜視図である。
【図２】実施例１を示す斜視図である。
【図３】実施例１を示す断面図である。
【図４】実施例１を示す側面図である。
【図５】図４のＡ−Ａ断面図である。
【図６】図４のＢ−Ｂ断面図である。
【図７】図４のＣ−Ｃ断面図である。
【図８】図４のＤ−Ｄ断面図である。
【図９】図４のＥ−Ｅ断面図である。
【図１０】図４のＦ−Ｆ断面図である。
【図１１】実施例１に係る要部の説明図である。
【図１２】実施例１に係る要部の説明図である。
【図１３】実施例１に係る要部の説明図である。
【図１４】実施例１に係る要部の説明図である。
【図１５】実施例１に係る要部の説明図である。
【図１６】実施例２に係る要部の説明断面図である。
【図１７】図１６のＧ−Ｇ断面図である。
【図１８】図１６のＨ−Ｈ断面図である。
【図１９】実施例３を示す斜視図である。
【図２０】図１９のＩ−Ｉ断面図である。
【図２１】図１９のＪ−Ｊ断面図である。
【符号の説明】
【００５９】
１  針本体
２  小刃
３  凹部
４  凹溝部
５  断面多角形状部
５’  断面三角形状部
５”  断面四角形状部
５ａ  峰部
５ｂ  凹湾曲面
６  断面円形状部
【図１】
2010154961.tif 000003
【図２】
2010154961.tif 000004
【図３】
2010154961.tif 000005
【図４】
2010154961.tif 000006
【図５】
2010154961.tif 000007
【図６】
2010154961.tif 000008
【図７】
2010154961.tif 000009
【図８】
2010154961.tif 000010
【図９】
2010154961.tif 000011
【図１０】
2010154961.tif 000012
【図１１】
2010154961.tif 000013
【図１２】
2010154961.tif 000014
【図１３】
2010154961.tif 000015
【図１４】
2010154961.tif 000016
【図１５】
2010154961.tif 000017
【図１６】
2010154961.tif 000018
【図１７】
2010154961.tif 000019
【図１８】
2010154961.tif 000020
【図１９】
2010154961.tif 000021
【図２０】
2010154961.tif 000022
【図２１】
2010154961.tif 000023